(57)【要約】【課題】簡単な構造で揺れの程度を抑制して安全に使用する。【解決手段】ロッキングチェアーは、下部連結部４と座面シート３とを介してＸ字状に連結された背フレーム２と座台フレーム１を備え、背フレーム２が後方に傾動すると座台フレーム１の上端が上昇し、座台フレーム１の上端が降下すると背フレーム２が前方に傾動して揺動する。ロッキングチェアーは、座台フレーム１の前後の中間に配置された中間連結部１３と、背フレーム２の水平ロッド２３とを連結する上下連結機構５を備え、上下連結機構５は、背フレーム２の水平ロッド２３と中間連結部１３に連結される連結ロッド５１と、連結ロッド５１の下部を中間連結部１３に連結する連結具５２と、連結ロッド５１を連結具５２に固定して、中間連結部１３と水平ロッド２３とを所定の間隔に保持するロック機構５０とを備え、ロック機構５０のロック状態において、背フレーム２と座台フレーム１の揺動を抑制する。【選択図】図４
2017012229.tif 000002
【特許請求の範囲】
【請求項１】
上部に背もたれ部(24)を備える背フレーム(2)と、
前記背フレーム(2)に対して交差する姿勢で配設される座台フレーム(1)と、
前記背フレーム(2)と前記座台フレーム(1)とに張設されて座面(30)を構成する座面シート(3)と、
前記背フレーム(2)と前記座台フレーム(1)の各々の下端部を連結する下部連結部(4)と
を備え、
前記座台フレーム(1)は前記背フレーム(2)よりも幅が狭く、前記座台フレーム(1)が前記背フレーム(2)の内側に位置して、互いにＸ字状に交差して配設されており、
前記座面シート(3)は、前端部が前記座台フレーム(1)の前端に配置された横ロッド(11)に連結され、後端部が前記背フレーム(2)の中間部に連結された水平ロッド(23)に連結されて座面(30)を構成しており、
前記下部連結部(4)と前記座面シート(3)とを介してＸ字状に連結された前記背フレーム(2)と前記座台フレーム(1)は、該背フレーム(2)が後方に傾動すると該座台フレーム(1)の上端が上昇し、該座台フレーム(1)の上端が降下すると該背フレーム(2)が前方に傾動して揺動するように構成されており、
さらに、前記座台フレーム(1)の前後の中間に配置されて該座台フレーム(1)に連結された中間連結部(13)と、前記背フレーム(2)の前記水平ロッド(23)とを連結する上下連結機構(5)を備えており、
前記上下連結機構(5)は、上端が前記水平ロッド(23)に連結されて下部が前記中間連結部(13)に連結される連結ロッド(51)と、前記連結ロッド(51)と前記中間連結部(13)に連結されて、前記連結ロッド(51)の下部を前記中間連結部(13)に連結する連結具(52)と、前記連結ロッド(51)を前記連結具(52)に固定して、前記中間連結部(13)と前記水平ロッド(23)とを所定の間隔に保持するロック機構(50)とを備えており、
前記ロック機構(50)のロック状態において、前記背フレーム(2)と前記座台フレーム(1)の揺動を抑制するように構成されてなることを特徴とするロッキングチェアー。
【請求項２】
請求項１に記載されるロッキングチェアーであって、
前記ロック機構(50)が、前記連結具(52)に連結されて前記連結ロッド(51)が挿通される筒体(53)と、前記筒体(53)の外周面を貫通して挿通されるストッパネジ(54)とを備え、
前記ストッパネジ(54)を締め付ける状態をロック状態として、前記連結ロッド(51)を前記筒体(53)に対して固定し、
前記ストッパネジ(54)を緩める状態を非ロック状態として、前記連結ロッド(51)を前記筒体(53)に対して軸方向に移動可能とするロッキングチェアー。
【請求項３】
請求項２に記載されるロッキングチェアーであって、
前記連結ロッド(51)は、その上端が前記水平ロッド(23)に対して垂直な垂直面内で傾動自在に前記水平ロッド(23)に連結されており、
前記筒体(53)は、前記連結ロッド(51)が傾動する前記垂直面内で回動自在に前記連結具(52)に連結されてなるロッキングチェアー。
【請求項４】
請求項１ないし３のいずれかに記載されるロッキングチェアーであって、
前記中間連結部（13)が、前記座台フレーム(1)に水平姿勢で連結された中間ロッド(13A)であるロッキングチェアー。
【請求項５】
請求項１ないし４のいずれかに記載されるロッキングチェアーであって、
前記上下連結機構(5)が、前記ロック機構(50)のロック状態において、前記中間連結部(13)と前記水平ロッド(23)との間隔を一定の間隔に保持して、前記背フレーム(2)と前記座台フレーム(1)の揺動を停止するように構成されてなるロッキングチェアー。
【請求項６】
請求項１ないし４のいずれかに記載されるロッキングチェアーであって、
前記上下連結機構(5)が、前記ロック機構(50)のロック状態において、前記中間連結部(13)と前記水平ロッド(23)との間隔を所定の範囲内に保持して、前記背フレーム(2)と前記座台フレーム(1)の揺動を制限するように構成されてなるロッキングチェアー。
【請求項７】
請求項６に記載されるロッキングチェアーであって、
前記連結具(52)が、前記中間連結部(13)に対して垂直面内で傾動自在に連結されており、前記ロック機構(50)のロック状態において、前記連結具(52)が傾動する範囲内で前記中間連結部(13)と前記水平ロッド(23)との間隔を変化させて、前記背フレーム(2)と前記座台フレーム(1)とを揺動させるロッキングチェアー。
【請求項８】
上部に背もたれ部を備える背フレーム(2)と、
前記背フレーム(2)に対して交差する姿勢で配設される座台フレーム(1)と、
前記背フレーム(2)と前記座台フレーム(1)とに張設されて座面(30)を構成する座面シート(3)と、
前記背フレーム(2)と前記座台フレーム(1)の各々の下端部を連結する下部連結部(4)と
を備え、
前記背フレーム(2)は前記座台フレーム(1)よりも幅が狭く、前記背フレーム(2)が前記座台フレーム(1)の内側に位置して、互いにＸ字状に交差して配設されており、
前記座面シート(3)は、前端部が前記座台フレーム(1)の前端に配置された横ロッド(11)に連結され、後端部が前記背フレーム(2)の中間部に連結された水平ロッド(23)に連結されて座面(30)を構成しており、
前記下部連結部(4)と前記座面シート(3)とを介してＸ字状に連結された前記背フレーム(2)と前記座台フレーム(1)は、該背フレーム(2)が後方に傾動すると該座台フレーム(1)の上端が上昇し、該座台フレーム(1)の上端が降下すると該背フレーム(2)が前方に傾動して揺動するように構成されており、
さらに、前記背フレーム(2)の下部であって、前記水平ロッド(23)より下方に位置して形成された中間連結部(63)と前記座台フレーム(1)の前端の前記横ロッド(11)とを連結する上下連結機構(5)を備えており、
前記上下連結機構(5)は、上端が前記横ロッド(11)に連結されて下部が前記中間連結部(63)に連結される連結ロッド(51)と、前記連結ロッド(51)と前記中間連結部(63)に連結されて、前記連結ロッド(51)の下部を前記中間連結部(63)に連結する連結具(52)と、前記連結ロッド(51)を前記連結具(52)に固定して、前記中間連結部(63)と前記横ロッド(11)とを所定の間隔に保持するロック機構(50)とを備えており、
前記ロック機構(50)のロック状態において、前記背フレーム(2)と前記座台フレーム(1)の揺動を抑制するように構成されてなるロッキングチェアー。
【請求項９】
請求項１ないし８のいずれかに記載されるロッキングチェアーであって、
前記下部連結部(4)が、前記背フレーム(2)と前記座台フレーム(1)の下端の間隔を調整する間隔調整機構(43)を備えるロッキングチェアー。
【発明の詳細な説明】
【技術分野】
【０００１】
本発明は、座った状態で揺り動かすことができるロッキングチェアーの改良に関し、とくに、揺れの程度を抑制して安全に使用できるロッキングチェアーに関する。
【背景技術】
【０００２】
座った状態で揺り動かすことが可能な椅子として、ロッキングチェアーが知られている。最も一般的なロッキングチェアーとして、籐製または木製の椅子の脚部を前後に突出させてアーチ状に形成し、座部に座った状態で椅子全体を前後に揺動させるようにしたものが挙げられる。しかし、この種のロッキングチェアーは、揺動時に、アーチ状の脚部に足の指先や物が挟まれることがあり、また強く揺動させた場合には前後方向にひっくり返る心配があり、安全性に問題があった。また、アーチ状の脚部を前後に大きく突出させる構造のため、椅子全体が大きく、移動させるのも大変であった。
【０００３】
これに対して、図１０に示す構造のロッキングチェアーが開発されている（特許文献１参照）。このロッキングチェアーは、背もたれとなる背フレーム９２と座台となる座台フレーム９１にシート材９３の上端縁と下端縁とを連結して、背フレーム９２と座台フレーム９１の下部を下リンクロッド９４で連結し、座台フレーム９１の先端部と背フレーム９２の中間とを上リンクロッド９５で連結している。背フレーム９２と座台フレーム９１は、互いに邪魔にならないで傾動できるように、一方の幅を他方の幅よりも狭く、一方を他方の内側に位置させて、互いにＸ字状に交差して配設している。背フレーム９２と座台フレーム９１の下端部分は、下リンクロッド９４をピン９６で回動できるように連結している。上リンクロッド９５は、ピン９６を介して回動できるように、背フレーム９２と座台フレーム９１に連結している。上リンクロッド９５は肘掛に併用できるように、肘掛部を設けている。
【０００４】
この構造のロッキングチェアーは、背フレーム９２と座台フレーム９１とを上リンクロッド９５で連結している。したがって、図１１の実線で示すように、背フレーム９２を後方に傾斜させると、上リンクロッド９５を介して座台フレーム９１が上昇してスイングされる。また、図１１の一点鎖線で示すように、座台フレーム９１を降下させると、上リンクロッド９５を介して背フレーム９２が垂直方向に傾動する。
【先行技術文献】
【特許文献】
【０００５】
【特許文献１】実公平７−４１３９２号公報
【発明の概要】
【発明が解決しようとする課題】
【０００６】
以上の構造のロッキングチェアーは、ロッキングして楽に座ることができると共に、持ち運ぶときには、背フレーム９２と座台フレーム９１とを折り畳みできる特長がある。しかしながら、この構造のロッキングチェアーは、座台フレーム９２と背フレーム９１の重量をバランスさせてロッキングさせるので、図１１の二点鎖線で示すように、使用時に重量のバランスが崩れると背フレーム９２や座台フレーム９１が大きく傾いて危険な状態となることがあった。また、ロッキングしない通常の椅子としては使用できない欠点があった。
【０００７】
本発明は、さらにこの欠点を解決することを目的に開発されたものである。本発明の重要な目的は、簡単な構造で揺れの程度を抑制して安全に使用できるロッキングチェアーを提供することにある。
【課題を解決するための手段及び発明の効果】
【０００８】
本発明のロッキングチェアーは、上部に背もたれ部２４を備える背フレーム２と、背フレーム２に対して交差する姿勢で配設される座台フレーム１と、背フレーム２と座台フレーム１とに張設されて座面３０を構成する座面シート３と、背フレーム２と座台フレーム１の各々の下端部を連結する下部連結部４とを備えている。座台フレーム１は背フレーム２よりも幅が狭く、座台フレーム１が背フレーム２の内側に位置して、互いにＸ字状に交差して配設されている。座面シート３は、前端部が座台フレーム１の前端に配置された横ロッド１１に連結され、後端部が背フレーム２の中間部に連結された水平ロッド２３に連結されて座面３０を構成している。下部連結部４と座面シート３とを介してＸ字状に連結された背フレーム２と座台フレーム１は、背フレーム２が後方に傾動すると座台フレーム１の上端が上昇し、座台フレーム１の上端が降下すると背フレーム２が前方に傾動して揺動するように構成されている。さらに、ロッキングチェアーは、座台フレーム１の前後の中間に配置されて座台フレーム１に連結された中間連結部１３と、背フレーム２の水平ロッド２３とを連結する上下連結機構５を備えている。上下連結機構５は、上端が水平ロッド２３に連結されて下部が中間連結部１３に連結される連結ロッド５１と、連結ロッド５１と中間連結部１３に連結されて連結ロッド５１の下部を中間連結部１３に連結する連結具５２と、連結ロッド５１を連結具５２に固定して、中間連結部１３と水平ロッド２３とを所定の間隔に保持するロック機構５０とを備え、ロック機構５０のロック状態において、背フレーム２と座台フレーム１の揺動を抑制するように構成されている。
【０００９】
上記構成のロッキングチェアーは、座台フレームの中間連結部と背フレームの水平ロッドとを連結する上下連結機構を備えており、この上下連結機構が、上端が水平ロッドに連結されて下部が中間連結部に連結される連結ロッドと、連結ロッドの下部を中間連結部に連結する連結具と、連結ロッドを連結具に固定して、中間連結部と水平ロッドとを所定の間隔に保持するロック機構を備えているので、このロック機構のロック状態では、背フレームと座台フレームの揺動を抑制して安全に使用できる。
【００１０】
さらに、以上のロッキングチェァーは、極めて簡単な構造でロッキングしない状態に固定できる特徴も実現する。それは、以上のロッキングチェァーが、１本の連結ロッドを水平ロッドと中間連結部とに連結し、連結部分をロック機構でロック状態に固定して、ロッキングを抑制できるからである。
【００１１】
本発明のロッキングチェアーは、ロック機構５０が、連結具５２に連結されて連結ロッド５１が挿通される筒体５３と、筒体５３の外周面を貫通して挿通されるストッパネジ５４とを備え、ストッパネジ５４を締め付ける状態をロック状態として、連結ロッド５１を筒体５３に対して固定し、ストッパネジ５４を緩める状態を非ロック状態として、連結ロッド５１を筒体５３に対して軸方向に移動可能とすることができる。
【００１２】
上記構成により、ロック機構のロック状態では、連結ロッドを筒体に固定し、中間連結部と水平ロッドとを所定の間隔に保持して背フレームと座台フレームの揺動を抑制できる。また、ロック機構の非ロック状態では、連結ロッドを筒体に対して移動させ、中間連結部と水平ロッドとの間隔を自由に変動させて、背フレームと座台フレームを大きく揺動させることができ、また、ロック状態において特定される座面シートの姿勢を調整することができる。さらに、このロック機構は、ストッパネジを開閉する簡単な操作により、ロック状態と非ロック状態とを切り換えできる。
【００１３】
本発明のロッキングチェアーは、連結ロッド５１を、その上端が水平ロッド２３に対して垂直な垂直面内で傾動自在に水平ロッド２３に連結し、筒体５３を、連結ロッド５１が傾動する垂直面内で回動自在に連結具５２に連結することができる。
【００１４】
上記構成により、連結ロッドを水平ロッドや連結具に対して無理なく傾動でき、背フレームと座台フレームとを揺動させる状態においても、連結ロッドに無理な負荷が作用するのを確実に防止できる。
【００１５】
本発明のロッキングチェアーは、中間連結部１３を、座台フレーム１に水平姿勢で連結された中間ロッド１３Ａとすることができる。
上記構成により、簡単な構造で座台フレームの前後の中間に中間連結部を形成することができる。また、中間連結部を水平姿勢の中間ロッドとすることで、これに連結される上下連結機構の連結ロッドをバランス良く支持できる、
【００１６】
本発明のロッキングチェアーは、上下連結機構５が、ロック機構５０のロック状態において、中間連結部１３と水平ロッド２３との間隔を一定の間隔に保持して、背フレーム２と座台フレーム１の揺動を停止することができる。
上記構成により、ロック機構のロック状態では、ロッキングチェアーのロッキングを停止して、揺動しないチェアーとして利用できる
【００１７】
本発明のロッキングチェアーは、上下連結機構５が、ロック機構５０のロック状態において、中間連結部１３と水平ロッド２３との間隔を所定の範囲内に保持して、背フレーム２と座台フレーム１の揺動を制限することができる。
上記構成により、ロック機構のロック状態においても、ロッキングチェアーを所定の範囲内でロッキングできる構造としながら、座面シートの角度が大きく傾いたり、背フレームと座面フレームとがバランスを崩して不安定になるのを有効に防止できる。
【００１８】
本発明のロッキングチェアーは、連結具５２が、中間連結部１３に対して垂直面内で傾動自在に連結されており、ロック機構５０のロック状態において、連結具５２が傾動する範囲内で中間連結部１３と水平ロッド２３との間隔を変化させて、背フレーム２と座台フレーム１とを揺動させることができる。
【００１９】
上記構成により、ロック機構のロック状態においても、中間連結部に対して垂直面内で傾動する連結具の傾動範囲内で背フレームと座台フレームとを揺動できる。とくに、ロック機構のロック状態では、揺れ幅が制限された揺動状態となるので、安全に、しかも安心して揺れを楽しむことができる。
【００２０】
本発明の他の側面にかかるロッキングチェアーは、上部に背もたれ部２４を備える背フレーム２と、背フレーム２に対して交差する姿勢で配設される座台フレーム１と、背フレーム２と座台フレーム１とに張設されて座面３０を構成する座面シート３と、背フレーム２と座台フレーム１の各々の下端部を連結する下部連結部４とを備えている。背フレーム２は座台フレーム１よりも幅が狭く、背フレーム２が座台フレーム１の内側に位置して、互いにＸ字状に交差して配設されている。座面シート３は、前端部が座台フレーム１の前端に配置された横ロッド１１に連結され、後端部が背フレーム２の中間部に連結された水平ロッド２３に連結されて座面３０を構成している。下部連結部４と座面シート３とを介してＸ字状に連結された背フレーム２と座台フレーム１は、背フレーム２が後方に傾動すると座台フレーム１の上端が上昇し、座台フレーム１の上端が降下すると背フレーム２が前方に傾動して揺動するように構成されている。さらに、ロッキングチェアーは、背フレーム２の下部であって、水平ロッド２３より下方に位置して形成された中間連結部６３と、座台フレーム１の前端の横ロッド１１とを連結する上下連結機構５を備えている。上下連結機構５は、上端が横ロッド１１に連結されて下部が中間連結部６３に連結される連結ロッド５１と、連結ロッド５１と中間連結部６３に連結されて、連結ロッド５１の下部を中間連結部６３に連結する連結具５２と、連結ロッド５１を連結具５２に固定して、中間連結部６３と横ロッド１１とを所定の間隔に保持するロック機構５０とを備えており、ロック機構５０のロック状態において、背フレーム２と座台フレーム１の揺動を抑制するように構成されている。
【００２１】
上記構成のロッキングチェアーは、背フレームの中間連結部と座台フレームの前端の横ロッドとを連結する上下連結機構を備えており、この上下連結機構が、上端が横ロッドに連結されて下部が中間連結部に連結される連結ロッドと、連結ロッドの下部を中間連結部に連結する連結具と、連結ロッドを連結具に固定して、中間連結部と横ロッドとを所定の間隔に保持するロック機構を備えているので、このロック機構のロック状態では、背フレームと座台フレームの揺動を抑制して安全に使用できる。
【００２２】
さらに、このロッキングチェァーも、極めて簡単な構造でロッキングしない状態に固定できる特徴を実現する。それは、このロッキングチェァーが、１本の連結ロッドを横ロッドと中間連結部とに連結し、連結部分をロック機構でロック状態に固定して、ロッキングを抑制できるからである。
【００２３】
本発明のロッキングチェアーは、下部連結部８が、背フレーム２と座台フレーム１の下端の間隔を調整する間隔調整機構４３を備えることができる。
上記構成により、下部連結部の間隔調整機構で背フレームの下端と座台フレームの下端の間隔を調整して、座面となる座面シートの高さを調整することができる。
【図面の簡単な説明】
【００２４】
【図１】本発明の一実施例にかかるロッキングチェアーの斜視図である。
【図２】図１に示すロッキングチェアーの側面図である。
【図３】図１に示すロッキングチェアーの背面図である。
【図４】図３に示すロッキングチェアーのＩＶ−ＩＶ線断面図である。
【図５】本発明の他の実施例にかかるロッキングチェアーの垂直断面図である。
【図６】図５に示すロッキングチェアーの揺動状態を示す断面図である。
【図７】図５に示すロッキングチェアーのロック機構５０の拡大斜視図である。
【図８】本発明の他の実施例にかかるロッキングチェアーの正面図である。
【図９】図８に示すロッキングチェアーのＩＸ−ＩＸ線断面図である。
【図１０】従来のロッキングチェアーの斜視図である。
【図１１】図１０に示すロッキングチェアーの揺動状態を示す側面図である。
【発明を実施するための形態】
【００２５】
以下、本発明の実施例を図面に基づいて説明する。ただし、以下に示す実施例は、本発明の技術思想を具体化するためのロッキングチェアーを例示するものであって、本発明はロッキングチェアーを以下の方法には特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２６】
図１ないし図４に示すロッキングチェアーは、上部に背もたれ部２４を備える背フレーム２と、この背フレーム２に対して交差する姿勢で配設される座台フレーム１と、背フレーム２と座台フレーム１とに張設されて座面３０を構成する座面シート３と、背フレーム２と座台フレーム１の各々の下端部を連結する下部連結部４とを備えている。
なお、本明細書において、前後方向とはロッキングチェアーに座した状態のユーザーから見た前後方向で特定するものとする。すなわち、図１及び図２において、向かって右側を前方とし、左側を後方とする。
【００２７】
背フレーム２と座台フレーム１は、金属パイプを略方形状に連結して製作している。図１と図３に示す座台フレーム１は背フレーム２よりも幅が狭く、背フレーム２の内側に配置されている。背フレーム２と座台フレーム１は、図２と図４に示すように、側面視において、Ｘ字状に交差する姿勢で配設されている。
【００２８】
（背フレーム２）
背フレーム２は、略方形状に連結される金属パイプの両側ロッド２２を上方に延長して、上方が開口された形状としている。図の背フレーム２は、コ字状の本体フレーム２０の中間を水平ロッド２３で連結しており、下部を方形状として上部を上方開口としている。コ字状の本体フレーム２０は、下端に位置する下端ロッド２１の両端に両側ロッド２２を連結してなる形状としている。２本の両側ロッド２２は、図２に示すように、中間部においてく字状に折曲しており、床面に対して傾斜する姿勢の下部に対して、上部を垂直方向に向かって起立する姿勢としている。コ字状の本体フレーム２０は、中間部である折曲部を水平ロッド２３で連結して所定の形状に形成している。図１に示す本体フレーム２０は、１本の金属パイプを折曲加工して、下端ロッド２１の両端に両側ロッド２２を連結してなるコ字状としている。ただ、本体フレームは、複数の金属パイプを連結、固定して所定の形状とすることもできる。
【００２９】
（座台フレーム１）
座台フレーム１は、互いに平行であって上下に傾斜する姿勢で配置された２本の縦ロッド１２の両端に水平方向に延びる横ロッド１１を連結して全体の形状を略方形状としている。上下の横ロッド１１は、前方の上端に配置される第１の横ロッド１１Ａと後方の下端に配置される第２の横ロッド１１Ｂとを備えている。上下の横ロッド１１は、縦ロッド１２の両端に止ネジ（図示せず）で固定されている。図１と図３に示す座台フレーム１は、２本の縦ロッド１２を背フレーム２の両側ロッド２２の内側に配置すると共に、上下の横ロッド１１の両端を２本の縦ロッド１２よりも外側まで延長し、さらに、背フレーム２の両側ロッド２２よりも外側まで延長している。この構造の座台フレーム１は、背フレーム２と座台フレーム１を折り畳む状態においても、座台フレーム１が背フレーム２から分離されることなく一体的に折り畳みできる。
【００３０】
ただ、座台フレームは、上下いずれかの横ロッドのみを両側に突出させることもできる。この座台フレームは、例えば、１本の金属パイプを折曲加工して、横ロッドの両側に一対の縦ロッドを連結してなるコ字状のフレームを形成し、このコ字状のフレームの先端にもう一方の横ロッドを固定して形成することができる。また、座台フレーム１は、２本の横ロッドを両側に突出させることなく全体の形状を矩形状とすることもできる。この座台フレームは、１本の金属パイプを折曲加工して、あるいは折曲加工された複数の金属パイプを連結して製造することができる。
【００３１】
（座面シート３）
座面シート３は、背フレーム２と座台フレーム１とに張設されたシート材で構成されている。座面シート３は、シート材の前端部を座台フレーム１の前端に配置された第１の横ロッド１１Ａに連結すると共に、シート材の後端部を背フレーム２の中間部に連結された水平ロッド２３に連結して座面３０を構成している。このシート材には、上に座って十分な強度を有する可撓性の布地が使用される。シート材の全長は、前後の両端を座台フレーム１の第１の横ロッド１１Ａと背フレーム２の水平ロッド２３とに連結した状態で、平面状に張設されて上に座ることができる長さとしている。このシート材は、両端をＵ曲して折り返し、折り返し部分を所定の幅に縫製し、縫製部分に座台フレーム１の横ロッド１１と背フレーム２の水平ロッド２３を挿通して連結している。ただ、シート材は、これに紐状体や硬質リングを貫通し、紐状体や硬質リングに横ロッドや水平ロッドであるパイプを挿通して連結することもできる。
【００３２】
（背もたれ部２４）
さらに、図１ないし図４に示す背フレーム２は、両側ロッド２２の上端部に背もたれ部２４を備えている。背もたれ部２４は、ロッキングチェアーにユーザーが座って後方に体重をかけた状態で、ユーザーの背中部分を支持する部材である。図に示す背もたれ部２４は、左右に配置された２本の張設ロッド２５の間に背面シート２６となるシート材を張設して、全体の形状を矩形状としている。このようなシート材には、前述の座面シート３に使用されるシート材と同じ材質のものが使用できる。この背もたれ部２４は、２本の両側ロッド２２の内側に配設されると共に、張設ロッド２５の中間を両側ロッド２２に対して回動自在に連結している。図２に示す背もたれ部２４は、張設ロッド２５の中間から外側に突出する回動軸２７を備えており、この回動軸２７を両側ロッド２２の上端部に回動自在に連結している。これにより、ユーザーが後方に体重をかけた状態では、ユーザーの背中を支持する背もたれ部２４を最適な角度に傾動させながら支持できる構造としている。
【００３３】
さらに、図２に示すロッキングチェアーは、背フレーム２の上部であって、背もたれ部２４の背面側に、対向する両側ロッド２２の上部を連結する連結部材２８を備えている。図に示す連結部材２８は、対向する両側ロッド２２を連結する帯状体で、対向する両側ロッド２２の上端部であって、前述の回動軸２７の連結位置よりも下方において対向する両側ロッド２２同士を連結している。図に示す背フレーム２は、連結部材２８を定位置に配置できるように、連結部材２８を挿通させる位置決め具２９を固定している。このロッキングチェアーは、回動する背もたれ部２４の下部が、両側ロッド２２間に張設された連結部材２８で支持されて所定の角度以上に回動するのを阻止する。したがって、ユーザーが後方に体重をかけて、背もたれ部２４にもたれた状態で、ユーザーを安定して支持できる。
【００３４】
（下部連結部４）
下部連結部４は、背フレーム２と座台フレーム１の各々の下端部を連結している。図１ないし図４に示す下部連結部４は、背フレーム２の下端ロッド２１と座台フレーム１の第２の横ロッド１１Ｂとを連結して、これ等を所定の間隔に保持している。図１に示す下部連結部４は、下端ロッド２１と第２の横ロッド１１Ｂとに張設された帯状の連結ベルト４０としている。帯状の連結ベルト４０は、前後方向に延長されて、下端ロッド２１及び第２の横ロッド１１Ｂの下面と床面との間に通過させると共に、両端部を下端ロッド２１及び第２の横ロッド１１Ｂの周囲に沿ってＵ曲して折り返し、さらに、折り返された両端部分を、下端ロッド２１と第２の横ロッド１１Ｂの中間において互いに連結している。連結ベルト４０の両端は、留め具４１を介して連結している。
【００３５】
図１と図２に示す背フレーム２と座台フレーム１は、各々の連結ベル４０を定位置に配置するために、下端ロッド２１と第２の横ロッド１１Ｂに、ベルト通し４５を設けている。図１に示す下端ロッド２１と第２の横ロッド１１Ｂは、これ等を構成する金属パイプの外周面に、軸方向に延長してコ字状の金具を固定しており、この金具と金属パイプとの間にスリットを設けてベルト通し４５を形成している。スリット状のベルト通し４５は、連結ベルト４０をスムーズに挿入できる隙間と幅に形成されている。このように、ベルト通し４５を介して連結ベルト４０を配置する構造は、前後に張設されるベルトが左右方向に位置ずれしたり、ねじれたり、重なったりするのを確実に防止できる特徴がある。
【００３６】
さらに、図１に示す下部連結部４は、間隔調整機構４３を備えており、下端ロッド２１と第２の横ロッド１１Ｂとの間隔を調整できるようにしている。図１に示す間隔調整機構４３は、連結ベルト４０の連結部において、連結位置を変更できる構造としている。図１に示す連結ベルト４０は、一端に留め具４１を固定すると共に、他端部には、複数の連結孔４２を開口しており、これ等の連結孔４２に留め具４１の位置決めピン４１Ａを挿入することで連結ベルト４０の全長を調整できるようにしている。この連結ベルト４０は、位置決めピン４１Ａを挿入する連結孔４２の位置を変更することで、下端ロッド２１と第２の横ロッド１１Ｂとの間隔を簡単に調整できる。ただ、間隔調整機構には、連結ベルトの連結位置を変更できる他の全ての構造が採用できる。
【００３７】
連結ベルト４０には、背フレーム２と座台フレーム１が載せられて、ユーザーの体重がかかる状態で使用されても切断されない強度を有する可撓性の布地や皮革が使用される。このように、下部連結部４となる連結ベルト４０を布地や皮革等で構成し、下端ロッド２１及び第２の横ロッド１１Ｂの下面と床面との間に配置する構造は、金属パイプの下面が直接床面と接触するのを防止できる特徴がある。このため、このロッキングチェアーは、ロッキングする状態において、前後に傾動される背フレーム２と座台フレーム１の下端が床面を損傷したり、不快な騒音を出すのを有効に防止できる。また、背フレーム２及び座台フレーム１の下面と床面との間に介在される連結ベルト４０によって摩擦を大きくできるので、揺動されるロッキングチェアーが前後に移動するのを有効に防止できる特徴も実現できる。
【００３８】
さらに、以上のように、間隔調整機構４３を備える下部連結部４は、背フレーム２の下端ロッド２１と座台フレーム１の第２の横ロッド１１Ｂとの間隔を自由に変更できる。このように、下端ロッド２１と第２の横ロッド１１Ｂの間隔を変更することで、ロッキングチェアーの座面３０の高さを調整できる。ロッキングチェアーは、背フレーム２の下端ロッド２１と座台フレーム１の第２の横ロッド１１Ｂとの間隔を広くすると、Ｘ字状に交差する背フレーム２と座台フレーム１の重心の位置が低くなって、座面３０の位置は低くなる。反対に、背フレーム２の下端ロッド２１と座台フレーム１の第２の横ロッド１１Ｂとの間隔を狭くすると、Ｘ字状に交差する背フレーム２と座台フレーム１の重心の位置が高くなって、座面３０の位置は高くなる。したがって、このロッキングチェアーは、ユーザーの体型や使用目的に応じて、下端ロッド２１と第２の横ロッド１１Ｂの間隔を調整して座面３０の高さを最適な高さとなるように調整する。
【００３９】
以上の下部連結部４は、背フレーム２の下端ロッド２１と座台フレーム１の第２の横ロッド１１Ｂとを連結しているが、下部連結部は、図示しないが、背フレームと座台フレームの下端部であって、例えば、背フレームの両側ロッドの下端部と座台フレームの縦ロッドの下端部とを連結することもできる。この下部連結部には金属ロッドが使用できる。この金属ロッドは、背フレームと座台フレームに対して、ピンで回動できるように連結される。
【００４０】
以上のようにして、下部連結部４を介して下端ロッド２１と第２の横ロッド１１Ｂが連結され、座面シート３を介して水平ロッド２３と第１の横ロッド１１Ａが連結される背フレーム２と座台フレーム１は、図２に示すように、側面視において、Ｘ字状に交差する姿勢で連結される。このロッキングチェアーは、図２の鎖線で示すように、背フレーム２が後方に傾動すると座台フレーム１の上端が上昇し、座台フレーム１の上端が降下すると背フレーム２が前方に傾動して揺動するように構成される。
【００４１】
（上下連結機構５）
さらに、本発明のロッキングチェアーは、ロッキング状態における背フレーム２及び座台フレーム１の揺動を抑制するために、座台フレーム１と背フレーム２とを連結する上下連結機構５を備えている。図１ないし図４に示す上下連結機構５は、座台フレーム１の前後の中間に配置されて座台フレーム１に連結された中間連結部１３と、背フレーム２の水平ロッド２３とを連結している。図１ないし図４の上下連結機構５は、上端が水平ロッド２３に連結されて下部が中間連結部１３に連結される連結ロッド５１と、連結ロッド５１と中間連結部１３に連結されて連結ロッド５１の下部を中間連結部１３に連結する連結具５２と、連結ロッド５１を連結具５２に固定して、中間連結部１３と水平ロッド２３とを所定の間隔に保持するロック機構５０とを備えている。
【００４２】
（中間連結部１３）
座台フレーム１は、前後の中間に位置して形成された中間連結部１３を備えている。図１に示す中間連結部１３は、座台フレーム１に水平姿勢で固定された中間ロッド１３Ａとしている。図１の座台フレーム１は、２本の横ロッド１１の中間に、横ロッド１１と平行な姿勢で中間ロッド１３Ａを配置すると共に、この中間ロッド１３Ａの両端を縦ロッド１２に固定して定位置に配置している。この中間連結部１３は、上下連結機構５を介して背フレーム２の水平ロッド２３に連結されて、背フレーム２と座台フレーム１の揺動を抑制する。したがって、中間連結部１３は、図４に示すように、座台フレーム１の前後の中間であって、好ましくは、水平ロッド２３に接近した位置に配置される。図４に示すロッキングチェアーは、座面シート３で構成される座面３０を水平姿勢とする状態で、側面視において、中間連結部１３である中間ロッド１３Ａと水平ロッド２３と第１の横ロッド１１Ａとが鋭角三角形ないし直角三角形を形成する位置に中間ロッド１３Ａを配置している。ただ、中間ロッドは、水平ロッドと第１の横ロッドとで鈍角三角形を形成する位置となるように配置することもできる。
【００４３】
以上のように、中間連結部１３を水平姿勢の中間ロッド１３Ａとする構造は、これに連結される上下連結機構５の連結ロッド５１をバランス良く支持できる特徴がある。ただ、本発明のロッキングチェアーは、必ずしも座台フレームの前後の中間に、横ロッドに平行な水平姿勢のロッドを配置して中間連結部とする必要はなく、座台フレームの縦ロッドと平行な中間ロッドを配置して中間連結部を設けることもできる。また、座台フレームの前後の中間に形成される中間連結部は、必ずしも直線状に配置される１本の中間ロッドとする必要はなく、座台フレームの内側にＸ字状に中間ロッドを固定し、あるいはＨ字状に中間ロッドを固定して中間連結部を設けることもできる。
【００４４】
（連結ロッド５１）
連結ロッド５１は、金属製のロッドで、上端が水平ロッド２３の中央部の下面側に連結されている。図４の連結ロッドは、水平ロッド２３に対して垂直な面内で傾動できるように水平ロッド２３に連結されている。図３と図４に示す水平ロッド２３は、中央部に連結ロッド５１を連結するための連結凸部５８を下方に突出して設けている。図に示す連結凸部５８は、先端部を溝形に形成しており、対向して突出する一対の連結片を有する形状に形成している。連結ロッド５１は、先端に回動片５１Ａを備えており、この回動片５１Ａを回転軸５９を介して連結凸部５８の連結片に回動自在に連結している。連結ロッド５１は、水平ロッド２３から前方に向かって下向きに傾斜する姿勢で延長されており、下端部を、連結具５２を介して中間連結部１３に連結している。
【００４５】
（連結具５２）
連結具５２は、連結ロッド５１を中間連結部１３に連結するための部材であって、一端が中間ロッド１３Ａに連結されると共に、他端には連結ロッド５１を連結する筒体５３を連結している。連結具５２は、図３と図４に示すように、中間ロッド１３Ａの中央部を両側から挟着する一対の挟着片５２Ａ、５２Ｂを備えている。この連結具５２は、一対の挟着片５２Ａ、５２Ｂで中間ロッド１３Ａを挟着する状態で、互いに積層されると共に、この積層部分を止ネジ５５で締結して中間ロッド１３Ａに固定している。図に示す挟着片５２Ａ、５２Ｂは、先端部を中間ロッド１３Ａの表面に沿う円弧状に湾曲する湾曲部５２ａとする共に、後端部を平面状の積層部５２ｂとしている。この連結具５２は、対向する湾曲部５２ａで中間ロッド１３Ａを両側から挟着すると共に、対向する積層部５２ｂを互いに積層して止ネジ５５で締結して、中間ロッド１３Ａから外れない固定される。
【００４６】
さらに、図４の連結具５２は、積層部５２ｂの後端に、連結ロッド５１を挿通して連結するための筒体５３を回動自在に連結している。図４に示す連結具５２は、連結ロッド５１が挿通される筒体５３を、連結ロッド５１が傾動する垂直面内で回動できるように連結している。このことを実現するために、連結具５２は、一方の挟着片５２Ａの後端部に対向して一対の台座部５５を設けると共に、これ等の台座部５５を貫通する連結ネジ５７を筒体５３の側面にねじ込んで筒体５３を連結具５２に対して垂直面内で回動できる構造としている。
【００４７】
（ロック機構５０）
ロック機構５０は、連結具５２に連結されて連結ロッド５１が挿通される筒体５３と、筒体５３の外周面を貫通して挿通されるストッパネジ５４とを備えている。このロック機構５０は、ストッパネジ５４を締め付ける状態では、ロック状態として、連結ロッド５１を筒体５３に対して移動しないように固定する。また、ロック機構５０は、ストッパネジ５４を緩める状態では、非ロック状態として、連結ロッド５１を筒体５３に対して軸方向に移動可能とする。すなわち、上部連結部５は、ロック機構５０のロック状態では、連結ロッド５１を筒体５３に固定して中間連結部１３と水平ロッド２３とを所定の間隔に保持して、背フレーム２と座台フレーム１の揺動を抑制する。また、上部連結部５は、ロック機構５０の非ロック状態では、図２の鎖線で示すように、連結ロッド５１を筒体５３に対して自由に移動させて、中間連結部１３と水平ロッドとの間隔を変動させて、背フレーム２と座台フレーム１を大きく揺動させることができる。
【００４８】
以上のロック機構５０は、ストッパネジ５４を開閉する簡単な操作により、ロック状態と非ロック状態とを切り換えできる。ただ、ロック機構は、連結ロッドと連結具とを固定できる他の全ての構造が採用できる。例えば、ロック機構は、連結ロッドに、軸方向に離して設けた複数の係止部と、これ等の係止部に係合される係止フックとで構成することもできる。このロック機構は、係止フックを任意の位置の係止部に係止させて、連結ロッドを連結具に固定させる。
【００４９】
図４に示す上下連結機構５は、連結具５２を一対の挟着片５２Ａ、５２Ｂを介して中間ロッド１３Ａに固定する構造としている。ここで、本発明のロッキングチェアーは、上下連結機構５の連結具５２を、中間ロッド１３Ａに対して回動しない構造として固定することも、中間ロッド１３Ａに対して回動する構造として連結することもできる。
【００５０】
図１ないし図４に示す実施例のロッキングチェアーでは、連結具５２を中間ロッド１３Ａに対して回動しないように固定している。このように、連結具５２を中間ロッド１３Ａに対して回動させないロッキングチェアーは、ロック機構５０のロック状態においては、水平ロッド２３と中間ロッド１３Ａとの間隔が一定の間隔に保持されるので、背フレーム２と座台フレーム１の揺動が停止される。したがって、このロッキングチェアーは、ロック機構５０のロック状態では、ロッキングしないチェアーとして利用できる。
【００５１】
このロッキングチェアーは、ロック機構５０を非ロック状態とすることで、チェアーをロッキングさせることもできる。このロッキングチェアーは、ロック機構５０の非ロック状態では、連結ロッド５１を筒体５３に対して軸方向に移動できるので、水平ロッド２３と中間ロッド１３Ａとの間隔が自由に変更可能となる。このため、座面３０に座った状態でユーザーが背フレーム２と座台フレーム１を前後に移動させることでロッキングが可能となる。具体的には、図２の鎖線で示すように、背フレーム２を後方に傾動させると、水平ロッド２３と中間ロッド１３Ａとの間隔が短くなるように連結ロッド５１が筒体５３に沿って移動し、座台フレーム１の上端が上昇して座面シート３が後方に傾斜する。反対に、座台フレーム１の上端を降下させると、水平ロッド２３と中間ロッド１３Ａとの間隔が長くなるように連結ロッド５１が筒体５３に沿って移動し、背フレーム２が前方に傾動する。この動作を繰り返すことで、チェアーがロッキングされる。したがって、このロッキングチェアーは、ロック機構５０をロック状態とする状態では、ロッキングできないチェアーとして使用でき、ロック機構５０を非ロック状態とする状態では、ロッキングできる椅子として使用できる。
【００５２】
以上のように、本発明のロッキングチェアーは、連結具５２を中間ロッド１３Ａに対して非回動状態で固定することで、ロック機構５０のロック状態ではロッキングをしない構造とすることができる。連結具５２を中間ロッド１３Ａに対して回動しないように固定するには、例えば、一対の挟着片５２を止ネジ５５で固定する際に、湾曲部５２ａが中間ロッド１３Ａに対して摺動しないように一対の挟着片５２を強固に固定し、あるいは、湾曲部５２ａと中間ロッド１３Ａとの境界面を嵌合構造とすることで実現できる。あるいは、一対の挟着片５２を中間ロッド１３Ａに対して溶接等により固定することで実現でき、あるいはまた、中間ロッド１３Ａを挟着する一対の湾曲部５２ａと中間ロッド１３Ａとを貫通するストッパピン（図７参照）やストッパネジを挿通することで連結具５２の回動を停止することもできる。
【００５３】
さらに、以上のロック機構５０は、連結ロッド５１を筒体５３に対して軸方向に移動できるので、水平ロッド２３と中間連結部１３との間隔を調整しながら連結ロッド５１と筒体５３とをロック状態にできる。このため、ロック状態における座面３０の姿勢、すなわち、水平ロッド２３と第１の横ロッド１１Ａとの間に張設される座面シート３の姿勢を調整できる。具体的には、水平ロッド２３と連結具５２との間隔に相当する連結ロッドの連結距離によって座面シート３の姿勢を調整できる。図２の実線で示すように、連結ロッドの連結距離（Ｌ１）を大きくすると、座面シート３は前方側に傾き、図２の鎖線で示すように、連結ロッドの連結距離（Ｌ２）を小さくすると、座面シート３は後方側に傾く。したがって、ロック機構５０をロック状態とする際には、座面シート３の姿勢が最適な姿勢となるように連結ロッド５１の連結距離を調整する。
【００５４】
（他の実施例）
以上の構造に対して、図５ないし図７に示す実施例のロッキングチェアーでは、連結具５２を中間連結部１３である中間ロッド１３Ａに対して垂直面内で回動できるように連結している。この連結具５２は、中間ロッド１３Ａを挟着する一対の挟着片５２の湾曲部５２ａを中間ロッド１３Ａの外周面に沿って摺動させることで、図７の矢印で示すように、連結具５２を垂直面内で回動できるようにしている。ここで、図７に示すロッキングチェアーは、連結具５２を中間ロッド１３Ａに対してスムーズに回動できるように、中間ロッド１３Ａと一対の湾曲部５２ａとの間に、スリップシート６０を配設している。スリップシート６０は、摩擦係数の小さなシート材で、このシート材を中間ロッド１３Ａに付着することで、湾曲部５２ａの内面との摩擦を小さくして、連結具５２をスムーズに回動できるようにしている。
【００５５】
図５と図６に示すように、中間ロッド１３Ａに対して回動可能な連結具５２は、連結ロッド５１から受ける力の向きに応じて回動する。例えば、図６の矢印Ｂで示すように、連結ロッド５１が下方に押される方向に付勢されると、連結具５２を矢印Ｃで示す方向に回動させて筒体５３の位置が下方に移動し、水平ロッド２３と中間ロッドの間隔は短くなる。反対に、図５の矢印Ｇで示すように、連結ロッド５１が上方に引かれる方向に付勢されると、連結具５２を矢印Ｈで示す方向に回動させて、筒体５３の位置が上方に移動し、水平ロッド２３と中間ロッドの間隔は長くなる。
【００５６】
このように、連結具５２を中間ロッド１３Ａに対して回動可能なロッキングチェアーは、ロック機構５０のロック状態においても、連結具５２が傾動する範囲内で中間連結部１３と水平ロッド２３との間隔を変化させて、背フレーム２と座台フレーム１とを揺動させることができる。このロッキングチェアーは、中間連結部１３と水平ロッド２３との間隔を所定の範囲内に保持することで、背フレーム２と座台フレーム１とを制限された状態で揺動させることができる。
【００５７】
以上のロッキングチェアーが、ロック機構５０のロック状態でロッキングされるメカニズムを図５と図６に基づいて詳述する。ここで、図５は、座面３０がほぼ水平姿勢にある状態を示し、図６は、座面３０が後方に傾斜した姿勢にある状態を示している。
【００５８】
図６で示すように、背フレーム２を後方に傾動（矢印Ａ）させようとすると、連結ロッ５１が水平ロッド２３に押されて下方に移動（矢印Ｂ）しようとして、連結具５２を下方に向かって回動（矢印Ｃ）させる。このとき、ロック機構５０のロック状態により水平ロッド２３と筒体５３と距離は一定に保たれるが、連結具５２が回動することで、水平ロッド２３と中間ロッド１３Ａとの間隔が短くなるように水平ロッド２３が降下し、座台フレーム１の上端が上昇（矢印Ｄ）して座面シート３が後方に傾斜する。
【００５９】
反対に、図５に示すように、座台フレーム１の上端を降下（矢印Ｅ）させようとすると、背フレーム２が前方に傾動（矢印Ｆ）しようとし、連結ロッ５１が水平ロッド２３に引かれて上方に移動（矢印Ｇ）しようとして、連結具５２を上方に向かって回動（矢印Ｈ）させる。このときも、水平ロッド２３と筒体５３と距離は一定に保たれるが、連結具５２が回動することで、水平ロッド２３と中間ロッド１３Ａとの間隔が長くなるように水平ロッド２３が上昇して、座面シート３が前方に傾斜する。
【００６０】
以上のように、このロッキングチェアーは、ロック機構５０のロック状態において、連結ロッド５１と筒体５３との移動は阻止されて、水平ロッド２３と筒体５３と距離は一定に保たれるが、中間ロッド１３Ａに対して連結具５２が回動することにより、連結具５２の先端に連結された筒体５３の位置が中間ロッド１３Ａ周りで移動し、これにより、水平ロッド２３と中間ロッド１３Ａとの間隔が連結具５２の回動の範囲内で変化する。この構造のロッキングチェアーは、水平ロッド２３と中間ロッド１３Ａの間隔が変化可能であるため、この範囲内において背フレーム２と座台フレーム１を揺動させてロッキングすることが可能となる。
【００６１】
ただ、このロッキング状態は、水平ロッド２３と中間ロッドとの相対的な移動距離が連結具５２の回動の範囲内に特定されるので、背フレーム２と座台フレーム１の揺動も制限された範囲となる。このため、ロック機構５０のロック状態においては、所定の範囲内においてのみ揺動可能な、言い換えると揺動が制限されたロッキングチェアーとして安全に使用できる。このため、このロッキングチェアーは、座面シートの角度が大きく傾いたり、背フレームと座面フレームとがバランスを崩して不安定になるのを有効に防止しながらチェアーをロッキングできる。
【００６２】
以上のロッキングチェアーは、連結ロッド１３Ａ周りに回動する連結具５２の先端に連結された筒体５３の移動範囲により水平ロッド２３と中間連結部１３との間隔の変動ストロークが特定される。したがって、上下連結機構５は、水平ロッド２３と中間連結部１３の間隔の変動ストロークが最適なストロークとなるように、筒体５３の移動範囲を調整することができる。ここで、筒体５３の移動範囲は、連結具５２における積層部５２ｂの長さにより調整される。すなわち、積層部５２ｂの長さを長くすると筒体５３の移動範囲が大きくなって間隔の変動ストロークが大きくなる。反対に、積層部５２ｂの長さを短くすると筒体５３の移動範囲が小さくなって間隔の変動ストロークが小さくなる。したがって、上下連結機構５は、間隔の変動ストロークが最適となるように、連結具５２の積層部５２ｂの長さを決定する。
【００６３】
さらに、この構造のロッキングチェアーは、図７の鎖線で示すように、中間ロッド１３Ａを挟着する一対の湾曲部５２ｂと中間ロッド１３Ａとを貫通するストッパピン６１やストッパネジを挿通することで連結具５２と中間ロッド１３Ａとの回動を停止させることもできる。この構造は、ストッパピン６１を抜き差しすることで、連結具５２を回動状態と非回動状態を選択的に切り換えできる。
【００６４】
以上の実施例のロッキングチェアーは、座台フレーム１の幅を背フレーム２よりも狭くして、座台フレーム１を背フレーム２の内側に配置し、座台フレーム１の前後の中間に配置された中間連結部１３と、背フレーム２の水平ロッド２３とを上下連結機構５で連結する構造としている。ただ、本発明のロッキングチェアーは、図８と図９に示すように、座台フレーム１の幅を背フレーム２よりも狭くして、座台フレーム１を背フレーム２の内側に配置し、背フレーム２の下部であって、水平ロッド２３より下方に位置して形成された中間連結部６３と、座台フレーム１の前端の横ロッド１１とを上下連結機構５で連結する構造とすることもできる。
【００６５】
図８と図９に示す上下連結機構５は、上端が横ロッド１１に連結されて下部が中間連結部６３に連結される連結ロッド５１と、連結ロッド５１と中間連結部６３に連結されて、連結ロッド５１の下部を中間連結部６３に連結する連結具５２と、連結ロッド５１を連結具５２に固定して、中間連結部６３と横ロッド１１とを所定の間隔に保持するロック機構５０とを備えている。ここで、図８と図９に示す上下連結機構５は、背フレーム２の中間連結部６３と、座台フレーム１の前端の第１の横ロッド１１Ａを連結する点では、前述の図１ないし図７に示す実施例の上下連結機構５とは異なるが、構成部材やその動作原理等は、前述の実施例の上下連結機構５と同様である。したがって、図８と図９においては、同じ働きをする部材には同符号を付してその詳細な説明は省略する。図８と図９に示す上下連結機構５も、ロック機構５０のロック状態においては、背フレーム２と座台フレーム１の揺動を抑制する。
【００６６】
以上のように、本発明のロッキングチェアーは、上下連結機構５のロック機構５０をロック状態とすることで、背フレーム２と座台フレーム１の揺動を抑制して安全に使用できる。さらに、本発明のロッキングチェアーは、図示しないが、持ち運びする際には、背フレームと座台フレームとを互いに接近させるように折り畳んで、コンパクトに持ち運びできる。このとき、上下連結機構５のロック機構５０は非ロック状態として、図１ないし図７に示すロッキングチェアーでは、座台フレーム１の中間連結部１３と背フレーム２の水平ロッド２３との間隔が広くなるように連結ロッド５１を連結具５２に対してスライドさせ、また、図８と図９に示すロッキングチェアーでは、座台フレーム１の第１の横ロッド１１Ａと背フレーム２の中間連結部６３との間隔が広くなるように連結ロッド５１を連結具５２に対してスライドさせる。
【産業上の利用可能性】
【００６７】
本発明のロッキングチェアーは、揺れの程度を抑制可能なロッキングチェアーとして、また、ロッキングをしない椅子としても使用できるロッキングチェアーとして、使用目的に応じて好適に使用される。
【符号の説明】
【００６８】
１…座台フレーム
２…背フレーム
３…座面シート
４…下部連結部
５…上下連結機構
１１…横ロッド
１１Ａ…第１の横ロッド
１１Ｂ…第２の横ロッド
１２…縦ロッド
１３…中間連結部
１３Ａ…中間ロッド
２０…本体フレーム
２１…下端ロッド
２２…両側ロッド
２３…水平ロッド
２４…背もたれ部
２５…張設ロッド
２６…背面シート
２７…回動軸
２８…連結部材
２９…位置決め具
３０…座面
４０…連結ベルト
４１…留め具
４１Ａ…位置決めピン
４２…連結孔
４３…間隔調整機構
４５…ベルト通し
５０…ロック機構
５１…連結ロッド
５２…連結具
５２Ａ…挟着片
５２Ｂ…挟着片
５２ａ…湾曲部
５２ｂ…積層部
５３…筒体
５４…ストッパネジ
５５…止ネジ
５６…台座部
５７…連結ネジ
５８…連結凸部
５９…回転軸
６０…スリップシート
６１…ストッパピン
６３…中間連結部
９１…座台フレーム
９２…背フレーム
９３…シート材
９４…下リンクロッド
９５…上リンクロッド
９６…ピン
【図１】
2017012229.tif 000003
【図２】
2017012229.tif 000004
【図３】
2017012229.tif 000005
【図４】
2017012229.tif 000006
【図５】
2017012229.tif 000007
【図６】
2017012229.tif 000008
【図７】
2017012229.tif 000009
【図８】
2017012229.tif 000010
【図９】
2017012229.tif 000011
【図１０】
2017012229.tif 000012
【図１１】
2017012229.tif 000013